(57)【要約】【課題】本、手帳、ノート等の被被覆体の厚さに柔軟に対応することができるカバーを提供する。【解決手段】カバー１は、本１０の表表紙１２を被覆する第１カバー本体２と、第１カバー本体２と別体で設けられ、本１０の裏表紙１３を被覆する第２カバー本体３と、第１カバー本体２及び第２カバー本体３が本１０の表表紙１２、背表紙１４、裏表紙１３の全体を被覆するように、第１カバー本体２と第２カバー本体３とを着脱可能に固定する固定部４と、を備える。固定部４は、第２カバー本体３の先端部３ａ１に設けられ、第１カバー本体２の先端部２ａ１に着脱可能に貼着される粘着部材である。【選択図】図３
2018202745.tif 000002
【特許請求の範囲】
【請求項１】
本、手帳、ノート等の被被覆体の表表紙を被覆する第１カバー本体と、
前記第１カバー本体と別体で設けられ、前記被被覆体の裏表紙を被覆する第２カバー本体と、
前記第１カバー本体及び前記第２カバー本体が前記被被覆体の表表紙、背表紙、裏表紙の全体を被覆するように、前記第１カバー本体と前記第２カバー本体とを着脱可能に固定する固定部と、を備えてなるカバー。
【請求項２】
前記固定部は、前記第１カバー本体又は前記第２カバー本体の先端部に設けられる前記第２カバー本体又は前記第１カバー本体に着脱可能に貼着される粘着部材である請求項１に記載のカバー。
【請求項３】
前記固定部は、前記第１カバー本体又は前記第２カバー本体に設けられる前記第２カバー本体又は前記第１カバー本体の先端部が着脱可能に挿入固定される帯状部材又はスリットである請求項１に記載のカバー。
【請求項４】
前記固定部は、前記第１カバー本体又は前記第２カバー本体の内側面に設けられる前記第２カバー本体又は前記第１カバー本体の先端部が着脱可能に挿入固定される帯状部材であり、
前記第２カバー本体又は前記第１カバー本体の先端部に延出して設けられ、前記第１カバー本体及び前記第２カバー本体が前記被被覆体の表表紙、背表紙、裏表紙の全体に密着するように、前記第２カバー本体又は前記第１カバー本体の先端部を引っ張る引張片と、
前記第１カバー本体又は前記第２カバー本体に設けられ、前記引張片を前記第１カバー本体又は前記第２カバー本体の内側面から外側面に挿通する挿通溝と、をさらに備えてなる請求項１に記載のカバー。
【請求項５】
前記引張片を前記第１カバー本体又は前記第２カバー本体の外側面に着脱可能に係止する係止部をさらに備えてなる請求項４に記載のカバー。
【発明の詳細な説明】
【技術分野】
【０００１】
本発明は、本、手帳、ノート等の被被覆体を被覆するカバーに関する。
【背景技術】
【０００２】
従来のカバーは、本、手帳、ノート等の被被覆体を保護、遮蔽、装飾するために被覆するものであって、例えば、合成樹脂製のシート状物を成形加工してなるものが知られている（特許文献１参照）。この種のカバーは、例えば、１枚の合成樹脂製のシート状物の両端を折り返し、折り返した上下部分を高周波溶着することによって左右に袋部（ポケット部）を形成したものであって、左右の袋部を被被覆体の表表紙及び裏表紙に挿入することによって、被被覆体の表表紙、背表紙、裏表紙の全体を被覆するものである。
【先行技術文献】
【特許文献】
【０００３】
【特許文献１】実用新案登録第３０５５１８９号公報
【発明の概要】
【発明が解決しようとする課題】
【０００４】
しかしながら、上記従来のカバーは、例えば、本の判型（表表紙及び裏表紙のサイズ）に適合（フィット）するように、カバーの高さ（上下方向の長さ）及び横幅（左右方向の長さ）が本の高さ及び横幅と合致するように形成されている。そのため、本の紙材（紙質）や頁数の相違によって、本の厚さ（背表紙の幅）が異なれば、カバーの背幅（厚さ方向の長さ）が本の厚さと合致せず、もって、カバーが本に適合しないという問題があった。
【０００５】
本発明は、上述の事情に鑑みて、本、手帳、ノート等の被被覆体の厚さに柔軟に対応することができるカバーを提供することを目的としている。
【課題を解決するための手段】
【０００６】
上記目的を達成するための手段を図面の参照符号を付して示せば、請求項１の発明に係るカバー１，１Ａ，１Ｂ，１Ｃ，１Ｄは、
本、手帳、ノート等の被被覆体（本１０）の表表紙１２を被覆する第１カバー本体２，２Ａ，２Ｂ，２Ｃ，２Ｄと、
前記第１カバー本体２，２Ａ，２Ｂ，２Ｃ，２Ｄと別体で設けられ、前記被被覆体（本１０）の裏表紙１３を被覆する第２カバー本体３と、
前記第１カバー本体２，２Ａ，２Ｂ，２Ｃ，２Ｄ及び前記第２カバー本体３が前記被被覆体（本１０）の表表紙１２、背表紙１４、裏表紙１３の全体を被覆するように、前記第１カバー本体２，２Ａ，２Ｂ，２Ｃ，２Ｄと前記第２カバー本体３とを着脱可能に固定する固定部４，４Ａ，４Ｂ，４Ｃ，４Ｄと、を備えてなることを特徴としている。
【０００７】
請求項２の発明は、上記請求項１のカバー１において、前記固定部４は、前記第１カバー本体２の先端部２ａ１又は前記第２カバー本体３の先端部３ａ１に設けられる前記第２カバー本体３又は前記第１カバー本体２に着脱可能に貼着される粘着部材であることを特徴としている。
【０００８】
請求項３の発明は、上記請求項１のカバー１Ａ，１Ｂ，１Ｃにおいて、前記固定部４Ａ，４Ｂ，４Ｃは、前記第１カバー本体２Ａ，２Ｂ，２Ｃ又は前記第２カバー本体３に設けられ、前記第２カバー本体３の先端部３ａ１又は前記第１カバー本体２Ａ，２Ｂ，２Ｃの先端部２Ａａ１，２Ｂａ１，２Ｃａ１が着脱可能に挿入固定される帯状部材又はスリットであることを特徴としている。
【０００９】
請求項４の発明は、上記請求項３のカバー１Ｄにおいて、
前記固定部４Ｄは、前記第１カバー本体２Ｄ又は前記第２カバー本体３の内側面に設けられる前記第２カバー本体３又は前記第１カバー本体２Ｄの先端部３ａ１が着脱可能に挿入固定される帯状部材であり、
前記第２カバー本体３の先端部３ａ１又は前記第１カバー本体２Ｄの先端部２Ｄａ１に延出して設けられ、前記第１カバー本体２Ｄ及び前記第２カバー本体３が前記被被覆体（本１０）の表表紙１２、背表紙１４、裏表紙１３の全体に密着するように、前記第２カバー本体３の先端部３ａ１又は前記第１カバー本体２Ｄの先端部２Ｄａ１を引っ張る引張片５と、
前記第１カバー本体２Ｄ又は前記第２カバー本体３に設けられ、前記引張片５を前記第１カバー本体２Ｄ又は前記第２カバー本体３の内側面から外側面に挿通する挿通溝６と、をさらに備えてなることを特徴としている。
【００１０】
請求項５の発明は、上記請求項４のカバー１Ｄにおいて、前記引張片５を前記第１カバー本体２Ｄ又は前記第２カバー本体３の外側面に着脱可能に係止する係止部７をさらに備えてなることを特徴としている。
【発明の効果】
【００１１】
以下に、本発明の効果について、図面の参照符号を付して説明する。請求項１の発明に係るカバー１，１Ａ，１Ｂ，１Ｃ，１Ｄは、第２カバー本体３が、第１カバー本体２，２Ａ，２Ｂ，２Ｃ，２Ｄと別体で設けられ、固定部４，４Ａ，４Ｂ，４Ｃ，４Ｄが、第１カバー本体２，２Ａ，２Ｂ，２Ｃ，２Ｄ及び第２カバー本体３が被被覆体（本１０）の表表紙１２、背表紙１４、裏表紙１３の全体を被覆するように、第１カバー本体２，２Ａ，２Ｂ，２Ｃ，２Ｄと第２カバー本体３とを着脱可能に固定するから、被被覆体（本１０）の厚さ（背表紙１４の幅）が異なる場合であっても、カバー１，１Ａ，１Ｂ，１Ｃ，１Ｄの背幅（厚さ方向の長さ）を被被覆体（本１０）の厚さと合致させることができ、もって、被被覆体（本１０）の厚さに関わらず、カバー１，１Ａ，１Ｂ，１Ｃ，１Ｄを被被覆体（本１０）に適合させることができる。これにより、本、手帳、ノート等の被被覆体の厚さに柔軟に対応することができる。
【００１２】
請求項２の発明によれば、固定部４が、第１カバー本体２の先端部２ａ１又は第２カバー本体３の先端部３ａ１を、第２カバー本体３又は第１カバー本体２に着脱可能に貼着する粘着部材であるから、第１カバー本体２と第２カバー本体３とを容易に固定することができ、もって、カバー１を被被覆体（本１０）に容易に適合させることができる。これにより、本、手帳、ノート等の被被覆体の厚さに柔軟に対応することができる。
【００１３】
請求項３の発明によれば、固定部４Ａ，４Ｂ，４Ｃが、第２カバー本体３の先端部３ａ１又は第１カバー本体２Ａ，２Ｂ，２Ｃの先端部２Ａａ１，２Ｂａ１，２Ｃａ１を、第１カバー本体２Ａ，２Ｂ，２Ｃ又は第２カバー本体３に着脱可能に挿入固定する帯状部材又はスリットであるから、第１カバー本体２Ａ，２Ｂ，２Ｃと第２カバー本体３とを容易に固定することができ、もって、カバー１Ａ，１Ｂ，１Ｃを被被覆体（本１０）に容易に適合させることができる。これにより、本、手帳、ノート等の被被覆体の厚さに柔軟に対応することができる。
【００１４】
請求項４の発明によれば、固定部４Ｄが、第１カバー本体２Ｄ又は第２カバー本体３の内側面に設けられる帯状部材であるから、第２カバー本体３の先端部３ａ１又は第１カバー本体２Ｄの先端部２Ｄａ１が、第１カバー本体２Ｄ又は第２カバー本体３の内側面に着脱可能に挿入固定される。すなわち、このように挿入固定されることによって、固定部４Ｄ、第２カバー本体３の先端部３ａ１又は第１カバー本体２Ｄの先端部２Ｄａ１が、第１カバー本体２又は第２カバー本体３の外側面に表出されないから、カバー１Ｄを被被覆体（本１０）に見栄えよく適合させることができる。さらに、請求項４の発明によれば、カバー１Ｄが、第１カバー本体２Ｄ及び第２カバー本体３が被被覆体（本１０）の表表紙１２、背表紙１４、裏表紙１３の全体に密着するように、第２カバー本体３の先端部３ａ１又は第１カバー本体２Ｄの先端部２Ｄａ１を引っ張る引張片５をさらに備えるから、第１カバー本体２Ｄ及び第２カバー本体３が被被覆体（本１０）の表表紙１２、背表紙１４、裏表紙１３の全体に密着することによって、カバー１Ｄを被被覆体（本１０）に完全に適合（ジャストフィット）させることができる。これにより、本、手帳、ノート等の被被覆体の厚さに柔軟に対応することができる。
【００１５】
請求項５の発明によれば、カバー１Ｄが、引張片５を第１カバー本体２Ｄ又は第２カバー本体３の外側面に着脱可能に係止する係止部７をさらに備えるから、引張片５を第１カバー本体２Ｄ又は第２カバー本体３の外側面に容易に固定することができ、もって、カバー１Ｄを被被覆体（本１０）に容易に適合させることができる。これにより、本、手帳、ノート等の被被覆体の厚さに柔軟に対応することができる。
【図面の簡単な説明】
【００１６】
【図１】本発明の第１実施形態に係るカバーを例示する平面図であり、（ａ）は同実施形態に係る第１カバー本体の平面図、（ｂ）は同実施形態に係る第２カバー本体の平面図である。
【図２】同実施形態に係るカバーを例示する背面図であり、（ａ）は第１カバー本体の背面図、（ｂ）は第２カバー本体の背面図である。
【図３】同実施形態に係るカバーを本に装着した状態を例示する斜視図である。
【図４】同実施形態に係るカバーを本に装着した状態を例示する横断面図である。
【図５】本発明の第２実施形態に係るカバーを例示する平面図であり、（ａ）は同実施形態に係る第１カバー本体の平面図、（ｂ）は同実施形態に係る第２カバー本体の平面図である。
【図６】同実施形態に係るカバーを例示する背面図であり、（ａ）は同実施形態に係る第１カバー本体の背面図、（ｂ）は同実施形態に係る第２カバー本体の背面図である。
【図７】同実施形態に係るカバーを本に装着した状態を例示する斜視図である。
【図８】同実施形態に係るカバーを本に装着した状態を例示する横断面図である。
【図９】本発明の第３実施形態に係るカバーを例示する平面図であり、（ａ）は同実施形態に係る第１カバー本体の平面図、（ｂ）は同実施形態に係る第２カバー本体の平面図である。
【図１０】同実施形態に係るカバーを例示する背面図であり、（ａ）は同実施形態に係る第１カバー本体の背面図、（ｂ）は同実施形態に係る第２カバー本体の背面図である。
【図１１】同実施形態に係るカバーを本に装着した状態を例示する斜視図である。
【図１２】同実施形態に係るカバーを本に装着した状態を例示する横断面図である。
【図１３】本発明の第４実施形態に係るカバーを例示する平面図であり、（ａ）は同実施形態に係る第１カバー本体の平面図、（ｂ）は同実施形態に係る第２カバー本体の平面図である。
【図１４】同実施形態に係るカバーを例示する背面図であり、（ａ）は同実施形態に係る第１カバー本体の背面図、（ｂ）は同実施形態に係る第２カバー本体の背面図である。
【図１５】同実施形態に係るカバーを本に装着した状態を例示する斜視図である。
【図１６】同実施形態に係るカバーを本に装着した状態を例示する横断面図である。
【図１７】本発明の第５実施形態に係るカバーを例示する平面図であり、（ａ）は同実施形態に係る第１カバー本体の平面図、（ｂ）は同実施形態に係る第２カバー本体の平面図である。
【図１８】同実施形態に係るカバーを例示する背面図であり、（ａ）は同実施形態に係る第１カバー本体の背面図、（ｂ）は同実施形態に係る第２カバー本体の背面図である。
【図１９】同実施形態に係るカバーを本に装着した状態を例示する斜視図である。
【図２０】同実施形態に係るカバーを本に装着した状態を例示する横断面図である。
【発明を実施するための形態】
【００１７】
［第１実施形態］
以下に、本発明に係るカバーの第１実施形態について、図１〜図４を参照して具体的に説明する。なお、以下の説明において、上下左右の方向を示す場合は、図示正面から見た場合の上下左右をいうものとする。
【００１８】
図１及び図２に示すように、カバー１は、ポリ塩化ビニル（ＰＶＣ）等の合成樹脂製のシート状物を成形加工してなる２枚の第１カバー本体２（図１（ａ），図２（ａ）参照）及び第２カバー本体３（図１（ｂ），図２（ｂ）参照）と、第１カバー本体２と第２カバー本体３とを着脱可能に固定する弱粘着テープ等の粘着部材からなる固定部４（図１（ｂ），図２（ｂ）参照）と、で構成されている。そしてこのように構成されるカバー１は、図３及び図４に示すように、第１カバー本体２及び第２カバー本体３を、それぞれ、文庫本等の本１０の表表紙１２及び裏表紙１３に装着し、固定部４によって、第１カバー本体２と第２カバー本体３とを固定することにより、本１０の表表紙１２、背表紙１４、裏表紙１３の全体を被覆し、本１０の表表紙１２、背表紙１４、裏表紙１３を保護、遮蔽、装飾するものである。なお、本１０は、図３及び図４に示すように、例えば、高さ（図３の上下方向の長さ）が１４８ｍｍ、横幅（図３の左右方向の長さ）が１０５ｍｍとなる判型がＡ６判の文庫本であって、縦書きの文字、図形、画像、写真等の本文が両面に印刷された複数枚の紙が背側（図３及び図４の左側）において綴じられた右開きの直方体形状の本体部１１と、本体部１１の表側（図３の後側、図４の上側）に開閉自在に設けられ、厚紙からなる矩形状の表表紙１２と、本体部１１の裏側（図３の前側、図４の下側）に開閉自在に設けられ、厚紙からなる矩形状の裏表紙１３と、表表紙１２及び裏表紙１３と一体形成され、本体部１１の背側（図３及び図４の左側）に固定される厚紙からなる矩形状の背表紙１４と、を備えてなるものである。ところで、表表紙１２の高さ及び横幅は、裏表紙１３の高さ及び横幅と同一である。また、背表紙１４の高さは、表表紙１２及び裏表紙１３の高さと同一であって、背表紙１４の幅は、表表紙１２及び裏表紙１３の横幅よりも短くなっている。さらに、本１０の厚さ（背表紙１４の幅）は、本体部１１の紙質や頁数の相違によって異なるが、例えば、本体部１１の紙材（紙質）が上質紙（四六判連量が１１０ｋｇ、厚さが０．１５１ｍｍ）であり、本体部１１の頁数が２６４頁（紙数が１３２枚）であるとき、約２０ｍｍとなっている。
【００１９】
第１カバー本体２は、図３及び図４に示すように、本１０の表表紙１２、背表紙１４、裏表紙１３の一部分を密着するように被覆するシート部２ａ（図１（ａ），図２（ａ）参照）と、図２（ａ）に示すように、シート部２ａの内側面の右端部に一体形成され、図３及び図４に示すように、本１０の表表紙１２に挿入される袋部２ｂと、を有している。シート部２ａは、図１（ａ）及び図２（ａ）に示すように、ポリ塩化ビニル（ＰＶＣ）等の合成樹脂からなる矩形薄板状のものである。また、袋部２ｂは、図２（ａ）に示すように、シート部２ａの内側面の右端部を左側に折り返し、折り返した上下部分を熱溶着することによって左側が開口する開口部２ｂ１を有する袋状（ポケット状）のものである。なお、第１カバー本体２の高さは、図３に示すように、表表紙１２、背表紙１４、裏表紙１３の高さと同一であり、第１カバー本体２の横幅は、表表紙１２の横幅と、背表紙１４の幅と、裏表紙１３の一部分の横幅とを合計した長さである。
【００２０】
第２カバー本体３は、図１及び図２に示すように、第１カバー本体２と別体に設けられており、図３及び図４に示すように、本１０の裏表紙１３を密着するように被覆するシート部３ａ（図１（ｂ），図２（ｂ）参照）と、図２（ｂ）に示すように、シート部３ａの内側面の左端部に一体形成され、図３及び図４に示すように、本１０の裏表紙１３に挿入される袋部３ｂと、を有している。シート部３ａは、図１（ｂ）及び図２（ｂ）に示すように、ポリ塩化ビニル（ＰＶＣ）等の合成樹脂からなる先端部３ａ１の角部が丸められた矩形薄板状のものである。また、袋部３ｂは、図２（ｂ）に示すように、シート部３ａの内側面の左端部を右側に折り返し、折り返した上下部分を熱溶着することによって右側が開口する開口部３ｂ１を有する袋状（ポケット状）のものである。なお、第２カバー本体３の高さ及び横幅は、図３に示すように、裏表紙１３の高さ及び横幅と同一である。しかして、第２カバー本体３の高さは、第１カバー本体２の高さと同一であり、第２カバー本体３の横幅は、第１カバー本体２の横幅よりも短くなっている。
【００２１】
固定部４は、図２（ｂ）に示すように、第２カバー本体３の先端部３ａ１の内側面に接着固定され、図３に示すように、第１カバー本体２の先端部２ａ１の外側面に着脱可能（再剥離可能かつ再貼付可能）に貼着される矩形状の粘着部材である。このような固定部４は、例えば、ポリエチレンテレフタラート（ＰＥＴ）等のポリエステルフィルム（基材）の表面にアクリル系粘着剤を積層してなる弱粘着テープであって、表面が第１カバー本体２の先端部２ａ１の外側面に再剥離可能かつ再貼付可能なものである。なお、固定部４の長さは、図２（ｂ）に示すように、第２カバー本体３の高さよりもやや短くなっている。
【００２２】
かくして、上記のように構成されるカバー１は、図３及び図４に示すように、本１０に装着される。
【００２３】
すなわち、まず、図３及び図４に示すように、第１カバー本体２の袋部２ｂを本１０の表表紙１２に挿入し、第１カバー本体２のシート部２ａが表表紙１２、背表紙１４、裏表紙１３の一部分に密着するように被覆する。次いで、第２カバー本体３の袋部３ｂを裏表紙１３に挿入し、第２カバー本体３のシート部３ａを図３及び図４に示す二点斜線位置から矢印Ｙ１方向に移動させ、第２カバー本体３のシート部３ａを裏表紙１３に密着するように被覆する。そして、第２カバー本体３の先端部３ａ１に設けられた固定部４を、第１カバー本体２の先端部２ａ１に貼着することによって、第１カバー本体２と第２カバー本体３とを固定する。しかして、このようにして、カバー１を本１０に装着することができる。なお、カバー１を本１０から取り外すには、カバー１を本１０に装着する逆手順を行えばよい。
【００２４】
しかして、以上説明した本実施形態によれば、カバー１は、第２カバー本体３が、第１カバー本体２と別体で設けられ、固定部４が、第１カバー本体２及び第２カバー本体３が本１０の表表紙１２、背表紙１４、裏表紙１３の全体を被覆するように、第１カバー本体２と第２カバー本体３とを着脱可能に固定するから、本１０の厚さ（背表紙１４の幅）が異なる場合であっても、カバー１の背幅（厚さ方向の長さ）を本１０の厚さと合致させることができ、もって、本１０の厚さに関わらず、カバー１を本１０に適合させることができる。これにより、本の厚さに柔軟に対応することができる。
【００２５】
さらに、本実施形態によれば、固定部４が、第２カバー本体３の先端部３ａ１を第１カバー本体２の先端部２ａ１に着脱可能に貼着する粘着部材であるから、第１カバー本体２と第２カバー本体３とを容易に固定することができ、もって、カバー１を本１０に容易に適合させることができる。これにより、本の厚さに柔軟に対応することができる。
【００２６】
また、本実施形態では、固定部４として、第２カバー本体３の先端部３ａ１に設けられ、第１カバー本体２の先端部２ａ１に着脱可能に貼着される粘着部材を例示したが、これに限らず、第１カバー本体２の先端部２ａ１に設けられ、第２カバー本体３の先端部３ａ１に着脱可能に貼着される粘着部材であってもよい。さらにまた、本実施形態では、粘着部材として、弱粘着テープを例示したが、これに限らず、例えば、微粘着テープ、再剥離テープ等であってもよく、あるいは、弱粘着剤、微粘着剤、再剥離剤等を第１カバー本体２の先端部２ａ１又は前記第２カバー本体３の先端部３ａ１に塗布するものであってもよい。
【００２７】
［第２実施形態］
次に、本発明に係るカバーの第２実施形態について、図５〜図８を参照して具体的に説明する。なお、以下では、第１実施形態と同一の構成には、同一の参照符号を付して、詳細な説明を省略する。
【００２８】
第１実施形態のカバー１と、第２実施形態のカバー１Ａとは、主に、固定部の構成が相違している。すなわち、第１実施形態の固定部４が、図１〜図４に示すように、第２カバー本体３の先端部３ａ１に設けられ、第１カバー本体２の先端部２ａ１に着脱可能に貼着される粘着部材であるのに対し、第２実施形態の固定部４Ａは、図５〜図８に示すように、第２カバー本体３の先端部３ａ１の外側面に設けられ、第１カバー本体２Ａの先端部２Ａａ１が着脱可能に挿入固定される帯状部材である点が相違する。この点、以下、詳細に説明する。
【００２９】
図５（ａ）及び図６（ａ）に示すように、第２実施形態の第１カバー本体２Ａは、第２実施形態の第１カバー本体２Ａの先端部２Ａａ１が、先端側に向けて突出する湾曲形状（例えば、半円形状）をなしており、それ以外は、第１実施形態に示す第１カバー本体２と同一である。そして、第２実施形態の固定部４Ａは、図５（ｂ）に示すように、第２カバー本体３の先端部３ａ１の外側面との間に隙間が形成されるように、第２カバー本体３の先端部３ａ１の外側面の上下部分に接着固定され、図７及び図８に示すように、第１カバー本体２Ａの先端部２Ａａ１が、第２カバー本体３の先端部３ａ１の外側面との間の隙間に着脱可能に挿入固定される矩形状の帯状部材である。なお、この固定部４Ａは、例えば、織ゴム、編ゴム、コールゴム等の平ゴム（ゴム紐）であって、この平ゴムの弾性力によって、第１カバー本体２Ａの先端部２Ａａ１を第２カバー本体３の先端部３ａ１の外側面に固定するものである。
【００３０】
かくして、上記のように構成されるカバー１Ａは、図７及び図８に示すように、本１０に装着される。
【００３１】
すなわち、まず、図７及び図８に示すように、第２カバー本体３の袋部３ｂを裏表紙１３に挿入し、第２カバー本体３のシート部３ａが裏表紙１３に密着するように被覆する。次いで、第１カバー本体２Ａの袋部２ｂを本１０の表表紙１２に挿入し、第１カバー本体２Ａのシート部２ａが表表紙１２、背表紙１４、裏表紙１３の一部分に密着するように被覆する。そして、第１カバー本体２Ａの先端部２Ａａ１を図７及び図８に示す二点斜線位置から矢印Ｙ２方向に向って移動させ、第２カバー本体３の先端部３ａ１の外側面に設けられた固定部４Ａに挿入固定する（図７の破線位置、図８の実線位置参照）。これにより、第１カバー本体２Ａと第２カバー本体３とを固定できることとなり、もって、カバー１Ａを本１０に装着することができることとなる。なお、カバー１Ａを本１０から取り外すには、カバー１Ａを本１０に装着する逆手順を行えばよい。
【００３２】
しかして、以上説明した第２実施形態によれば、固定部４Ａが、第１カバー本体２Ａの先端部２Ａａ１を、第２カバー本体３の先端部３ａ１の外側面に着脱可能に挿入固定する帯状部材であるから、第１カバー本体２Ａと第２カバー本体３とを容易に固定することができ、もって、カバー１Ａを本１０に容易に適合させることができる。これにより、本の厚さに柔軟に対応することができる。
【００３３】
なお、第２実施形態では、固定部４Ａとして、第２カバー本体３の先端部３ａ１の外側面に設けられ、第１カバー本体２の先端部２ａ１が着脱可能に挿入固定される帯状部材を例示したが、これに限らず、第１カバー本体２Ａの先端部２Ａａ１の外側面に設けられ、第２カバー本体３の先端部３ａ１が着脱可能に挿入固定される帯状部材であってもよい。
【００３４】
［第３実施形態］
次に、本発明に係るカバーの第３実施形態について、図９〜図１２を参照して具体的に説明する。なお、以下では、第１実施形態と同一の構成には、同一の参照符号を付して、詳細な説明を省略する。
【００３５】
第３実施形態のカバー１Ｂは、固定部４Ｂが、図９〜図１２に示すように、第２カバー本体３の先端部３ａ１の内側面に設けられ、第１カバー本体２Ｂの先端部２Ｂａ１が着脱可能に挿入固定される帯状部材である点が第１実施形態のカバー１と相違する。この点、以下、詳細に説明する。
【００３６】
図９（ａ）及び図１０（ａ）に示すように、第３実施形態の第１カバー本体２Ｂは、第３実施形態の第１カバー本体２Ｂの先端部２Ｂａ１が、先端側に向けて突出する湾曲形状（例えば、半円形状）をなしており、それ以外は、第１実施形態に示す第１カバー本体２と同一である。そして、第３実施形態の固定部４Ｂは、図１０（ｂ）に示すように、第２カバー本体３の先端部３ａ１の内側面との間に隙間が形成されるように、第２カバー本体３の先端部３ａ１の内側面の上下部分に接着固定され、図１１及び図１２に示すように、第２カバー本体３の先端部３ａ１の内側面との間の隙間に第１カバー本体２Ｂの先端部２Ｂａ１が着脱可能に挿入固定される矩形状の帯状部材である。この固定部４Ｂは、平ゴム（ゴム紐）であって、平ゴムの弾性力によって、第１カバー本体２Ｂの先端部２Ｂａ１を第２カバー本体３の先端部３ａ１の内側面に固定するものである。
【００３７】
かくして、上記のように構成されるカバー１Ｂは、図１１及び図１２に示すように、本１０に装着される。
【００３８】
すなわち、まず、図１１及び図１２に示すように、第２カバー本体３の袋部３ｂを裏表紙１３に挿入し、第２カバー本体３のシート部３ａを裏表紙１３に密着するように被覆する。次いで、第１カバー本体２Ｂの袋部２ｂを本１０の表表紙１２に挿入し、第１カバー本体２Ｂのシート部２ａが表表紙１２、背表紙１４、裏表紙１３の一部分に密着するように被覆する。そして、第１カバー本体２Ｂの先端部２Ｂａ１を図１１及び図１２に示す二点斜線位置から矢印Ｙ３方向に向かって移動させ、第２カバー本体３の先端部３ａ１の内側面に設けられた固定部４Ｂに挿入固定する。これにより、第１カバー本体２Ｂと第２カバー本体３とを固定できることとなり、もって、カバー１Ｂを本１０に装着することができることとなる。なお、カバー１Ｂを本１０から取り外すには、カバー１Ｂを本１０に装着する逆手順を行えばよい。
【００３９】
しかして、以上説明した第３実施形態によれば、固定部４Ｂが、第１カバー本体２Ｂの先端部２Ｂａ１を、第２カバー本体３の先端部３ａ１の内側面に着脱可能に挿入固定する帯状部材であるから、第１カバー本体２Ｂと第２カバー本体３とを容易に固定することができ、もって、カバー１Ｂを本１０に容易に適合させることができる。これにより、本の厚さに柔軟に対応することができる。
【００４０】
なお、第３実施形態では、固定部４Ｂとして、第２カバー本体３の先端部３ａ１の内側面に設けられ、第１カバー本体２Ｂの先端部２Ｂａ１が着脱可能に挿入固定される帯状部材を例示したが、これに限らず、第１カバー本体２Ｂの先端部２Ｂａ１の内側面に設けられ、第２カバー本体３の先端部３ａ１が着脱可能に挿入固定される帯状部材であってもよい。
【００４１】
［第４実施形態］
次に、本発明に係るカバーの第４実施形態について、図１３〜図１６を参照して具体的に説明する。なお、以下では、第１実施形態と同一の構成には、同一の参照符号を付して、詳細な説明を省略する。
【００４２】
第４実施形態のカバー１Ｃは、固定部４Ｃが、図１３〜図１６に示すように、第２カバー本体３の先端部３ａ１に設けられ、第１カバー本体２Ｃの先端部２Ｃａ１が着脱可能に挿入固定されるスリットである点が第１実施形態のカバー１と相違する。この点、以下、詳細に説明する。
【００４３】
図１３（ａ）及び図１４（ａ）に示すように、第４実施形態の第１カバー本体２Ｃは、第４実施形態の第１カバー本体２Ｃの先端部２Ｃａ１が、先端側に向けて突出する湾曲形状（例えば、半円形状）をなしており、それ以外は、第１実施形態に示す第１カバー本体２と同一である。そして、第４実施形態の固定部４Ｃは、図１３（ｂ）及び図１４（ｂ）に示すように、第２カバー本体３の先端部３ａ１の外側面と内側面とを連通するように上下方向に延びるとともに、第２カバー本体３の先端部３ａ１において左右方向に間隔をあけて形成された２本のスリット４Ｃａ，４Ｃｂであって、図１５及び図１６に示すように、２本のスリット４Ｃａ，４Ｃｂのうちの１本のスリット４Ｃａに、第１カバー本体２Ｃの先端部２Ｃａ１を着脱可能に挿入固定することによって、第１カバー本体２Ｃの先端部２Ｃａ１を第２カバー本体３の先端部３ａ１の内側面に固定するものである。なお、固定部４Ｃの長さは、図１３〜図１５に示すように、第２カバー本体３の高さよりもやや短くなっている。
【００４４】
かくして、上記のように構成されるカバー１Ｃは、図１５及び図１６に示すように、本１０に装着される。
【００４５】
すなわち、まず、図１５及び図１６に示すように、第２カバー本体３の袋部３ｂを裏表紙１３に挿入し、第２カバー本体３のシート部３ａを裏表紙１３に密着するように被覆する。次いで、第１カバー本体２Ｃの袋部２ｂを本１０の表表紙１２に挿入し、第１カバー本体２Ｃのシート部２ａが表表紙１２、背表紙１４、裏表紙１３の一部分に密着するように被覆する。そして、第１カバー本体２Ｃの先端部２Ｃａ１を図１５及び図１６に示す二点斜線位置から矢印Ｙ４方向に向かって移動させ、第２カバー本体３の先端部３ａ１に設けられたスリット４Ｃａに挿入固定する。これにより、第１カバー本体２Ｃと第２カバー本体３とを固定できることとなり、もって、カバー１Ｃを本１０に装着することができることとなる。なお、カバー１Ｃを本１０から取り外すには、カバー１Ｃを本１０に装着する逆手順を行えばよい。
【００４６】
しかして、以上説明した第４実施形態によれば、固定部４Ｃが、第１カバー本体２Ｃの先端部２Ｃａ１を、第２カバー本体３の先端部３ａ１に着脱可能に挿入固定するスリットであるから、第１カバー本体２Ｃと第２カバー本体３とを容易に固定することができ、もって、カバー１Ｃを本１０に容易に適合させることができる。これにより、本の厚さに柔軟に対応することができる。
【００４７】
なお、第４実施形態では、固定部４Ｃとして、第２カバー本体３の先端部３ａ１に設けられ、第１カバー本体２Ｃの先端部２Ｃａ１が着脱可能に挿入固定されるスリットを例示したが、これに限らず、第１カバー本体２Ｃの先端部２Ｃａ１に設けられ、第２カバー本体３の先端部３ａ１が着脱可能に挿入固定されるスリットであってもよい。また、第４実施形態では、第２カバー本体３の先端部３ａ１に設けられたスリット４Ｃａに、第１カバー本体２Ｃの先端部２Ｃａ１を挿入固定するものを例示したが、これに限らず、第２カバー本体３の先端部３ａ１に設けられたスリット４Ｃｂに、第１カバー本体２Ｃの先端部２Ｃａ１を挿入固定するものであってもよい。
【００４８】
［第５実施形態］
次に、本発明に係るカバーの第５実施形態について、図１７〜図２０を参照して具体的に説明する。なお、以下では、第１実施形態と同一の構成には、同一の参照符号を付して、詳細な説明を省略する。
【００４９】
第５実施形態のカバー１Ｄは、固定部４Ｄが、図１７〜図２０に示すように、第２カバー本体３の先端部３ａ１の内側面に設けられ、第１カバー本体２Ｄの先端部２Ｄａ１が着脱可能に挿入固定される帯状部材であるとともに、カバー１Ｄが、引張片５と、挿通溝６と、係止部７と、をさらに備えている点が第１実施形態のカバー１と相違する。この点、以下、詳細に説明する。
【００５０】
図１７（ａ）及び図１８（ａ）に示すように、第５実施形態の第１カバー本体２Ｄは、第５実施形態の第１カバー本体２Ｄの先端部２Ｄａ１が、先端側に向けて突出する湾曲形状（例えば、半円形状）をなしており、それ以外は、第１実施形態に示す第１カバー本体２と同一である。そして、第５実施形態の固定部４Ｄは、図１７（ｂ）及び図１８（ｂ）に示すように、第２カバー本体３の先端部３ａ１の内側面との間に隙間が形成されるように、第２カバー本体３の先端部３ａ１の内側面の上下部分に接着固定され、図１９及び図２０に示すように、第２カバー本体３の先端部３ａ１の内側面との間の隙間に第１カバー本体２Ｄの先端部２Ｄａ１が着脱可能に挿入固定される矩形状の帯状部材である。この固定部４Ｄは、平ゴム（ゴム紐）であって、平ゴムの弾性力によって、第１カバー本体２Ｄの先端部２Ｄａ１を第２カバー本体３の先端部３ａ１の内側面に固定するものである。
【００５１】
さらに、第５実施形態のカバー１Ｄは、図１７（ａ）及び図１８（ａ）に示すように、第１カバー本体２Ｄの先端部２Ｄａ１に延出して設けられ、第１カバー本体２Ｄ及び第２カバー本体３が本１０の表表紙１２、背表紙１４、裏表紙１３の全体に密着するように、第１カバー本体２Ｄの先端部２Ｄａ１を引っ張る引張片５と、図１７（ｂ）及び図１８（ｂ）に示すように、第２カバー本体３に設けられ、引張片５を第２カバー本体３の内側面から外側面に挿通する挿通溝６と、引張片５を第２カバー本体３の外側面に着脱可能に係止する係止部７と、をさらに備えている。この引張片５は、図１７（ａ）に示すように、第１カバー本体２Ｄの先端部２Ｄａ１から矩形状に延びるとともに、先端部が湾曲形状（例えば、半円形状）をなしている。そして、挿通溝６は、図１７（ｂ）に示すように、第２カバー本体３の外側面と内側面とを連通するとともに、引張片５が第２カバー本体３の内側面から外側面に挿通できるように、第２カバー本体３の中央部において上下方向に延びている。そしてさらに、図１８（ａ）に示すように、引張片５の先端部の内側面には、第２カバー本体３の外側面に着脱可能（再剥離可能かつ再貼付可能）に貼着される円形状の弱粘着テープ等の粘着部材からなる係止部７が接着固定されている。なお、挿通溝６の長さは、引張片５の幅（図１７（ａ）の上下方向の長さ）よりもやや長くなっている。
【００５２】
かくして、上記のように構成されるカバー１Ｄは、図１９及び図２０に示すように、本１０に装着される。
【００５３】
すなわち、まず、図１９及び図２０に示すように、第２カバー本体３の袋部３ｂを裏表紙１３に挿入し、第２カバー本体３のシート部３ａを裏表紙１３に密着するように被覆する。次いで、第１カバー本体２の袋部２ｂを本１０の表表紙１２に挿入し、第１カバー本体２のシート部２ａが表表紙１２、背表紙１４、裏表紙１３の一部分に密着するように被覆する。次いで、第１カバー本体２Ｄの先端部２Ｄａ１、並びに、第１カバー本体２Ｄの先端部２Ｄａ１に設けられた引張片５を、第２カバー本体３の先端部３ａ１の内側面に設けられた固定部４Ｄに挿入し、さらに、第１カバー本体２Ｄの先端部２Ｄａ１に設けられた引張片５を挿通溝６の第２カバー本体３の内側面から外側面に挿通し、図１９及び図２０（特に、図１９参照）の二点斜線で示す状態にする。次いで、引張片５を図１９及び図２０に示す矢印Ｙ５方向に引っ張ることによって、第１カバー本体２Ｄの先端部２Ｄａ１も矢印Ｙ５方向に引っ張られるから、もって、第１カバー本体２Ｄ及び第２カバー本体３が本１０の表表紙１２、背表紙１４、裏表紙１３の全体に密着することとなる。これにより、第１カバー本体２Ｄと第２カバー本体３とが固定されることとなる。なお、引張片５は、先端部に設けられた係止部７を第２カバー本体３の外側面に貼着することによって第２カバー本体３の外側面に係止されることとなる。しかして、このようにして、カバー１Ｄを本１０に装着することができる。なお、カバー１Ｄを本１０から取り外すには、カバー１Ｄを本１０に装着する逆手順を行えばよい。
【００５４】
しかして、以上説明した第５実施形態によれば、固定部４Ｄが、第１カバー本体２Ｄ又は第２カバー本体３の内側面に設けられる帯状部材であるから、第２カバー本体３の先端部３ａ１又は第１カバー本体２Ｄの先端部２Ｄａ１が、第１カバー本体２Ｄ又は第２カバー本体３の内側面に着脱可能に挿入固定される。すなわち、このように挿入固定されることによって、固定部４Ｄ、第２カバー本体３の先端部３ａ１又は第１カバー本体２Ｄの先端部２Ｄａ１が、第１カバー本体２Ｄ又は第２カバー本体３の外側面に表出されないから、カバー１Ｄを本１０に見栄えよく適合させることができる。さらに、第５実施形態によれば、カバー１Ｄが、第１カバー本体２Ｄ及び第２カバー本体３が本１０の表表紙１２、背表紙１４、裏表紙１３の全体に密着するように、第２カバー本体３の先端部３ａ１又は第１カバー本体２Ｄの先端部２Ｄａ１を引っ張る引張片５をさらに備えるから、第１カバー本体２Ｄ及び第２カバー本体３が本１０の表表紙１２、背表紙１４、裏表紙１３の全体に密着することによって、カバー１Ｄを本１０に完全に適合（ジャストフィット）させることができる。これにより、本の厚さに柔軟に対応することができる。さらにまた、第５実施形態によれば、カバー１Ｄが、引張片５を第１カバー本体２Ｄ又は第２カバー本体３の外側面に着脱可能に係止する係止部７をさらに備えるから、引張片５を第１カバー本体２Ｄ又は第２カバー本体３の外側面に容易に固定することができ、もって、カバー１Ｄを本１０に容易に適合させることができる。これにより、本の厚さに柔軟に対応することができる。
【００５５】
なお、第５実施形態では、固定部４Ｄが、第２カバー本体３の内側面に設けられる帯状部材であり、カバー１Ｄが、第１カバー本体２Ｄの先端部２Ｄａ１に延出して設けられ、第１カバー本体２Ｄ及び第２カバー本体３が本１０の表表紙１２、背表紙１４、裏表紙１３の全体に密着するように、第１カバー本体２Ｄの先端部２Ｄａ１を引っ張る引張片５と、第２カバー本体３に設けられ、引張片５を第２カバー本体３の内側面から外側面に挿通する挿通溝６と、引張片５を第２カバー本体３の外側面に着脱可能に係止する係止部７と、をさらに備えるものを例示したが、これに限らず、固定部４Ｄが、第１カバー本体２Ｄの内側面に設けられる帯状部材であり、カバー１Ｄが、第２カバー本体３の先端部３ａ１に延出して設けられ、第１カバー本体２Ｄ及び第２カバー本体３が本１０の表表紙１２、背表紙１４、裏表紙１３の全体に密着するように、第２カバー本体３の先端部３ａ１を引っ張る引張片５と、第１カバー本体２Ｄに設けられ、引張片５を第１カバー本体２Ｄの内側面から外側面に挿通する挿通溝６と、引張片５を第１カバー本体２の外側面に着脱可能に係止する係止部７と、をさらに備えるものであってもよい。
【００５６】
ところで、第１実施形態〜第５実施形態においては、第１カバー本体２，２Ａ，２Ｂ，２Ｃ，２Ｄ及び第２カバー本体３がＰＶＣ等の合成樹脂から形成されるものを例示したが、これに限らず、例えば、ポリプロピレン（ＰＰ）、ポリエチレン（ＰＥ）、ポリオレフィン（ＰＯ）、ポリアミド（ＰＡ）などの合成樹脂、皮革、布、デニム、紙等から形成されるものであってもよい。また、第１実施形態〜第５実施形態においては、第１カバー本体２，２Ａ，２Ｂ，２Ｃ，２Ｄ及び第２カバー本体３が袋状（ポケット状）の袋部２ｂ及び袋部３ｂを有するものを例示したが、これに限らず、例えば、シート部２ａの右端部及びシート部３ａの左端部を折り返したものであってもよい。さらにまた、第１実施形態〜第５実施形態においては、袋部２ｂ及び袋部３ｂがシート部２ａの右端部及びシート部３ａの左端部を折り返した上下部分を熱溶着することによって形成されるものを例示したが、これに限らず、例えば、折り返した上下部分を超音波溶着するもの、折り返した上下部分を高周波溶着するもの等であってもよい。
【００５７】
また、第１実施形態〜第５実施形態においては、カバー１，１Ａ，１Ｂ，１Ｃ，１Ｄが装着される本１０として、文庫本（Ａ６判）を例示したが、これに限らず、例えば、新書、コミック、単行本（菊判、四六判、Ｂ６判）、雑誌（Ａ５判、Ｂ５判）、画集（Ａ４判、Ｂ４判）等の表表紙１２及び裏表紙１３を有するものであってもよい。さらにまた、本体部１１の紙材（紙質）として、上質紙を例示したが、これに限らず、例えば、コート紙、アート紙、再生紙等であってもよい。さらにまた、本体部１１が縦書きの文字が印刷された右開きのものを例示したが、これに限らず、横書きの文字が印刷された左開きのものであってもよい。さらにまた、カバー１，１Ａ，１Ｂ，１Ｃ，１Ｄが装着されるものとして、本１０を例示したが、これに限らず、例えば、手帳、ノート、通帳、スタンプ帳、パスポート等の表表紙１２及び裏表紙１３を有するものであればどのようなものでも良い。
【符号の説明】
【００５８】
１，１Ａ，１Ｂ，１Ｃ，１Ｄ  カバー
２，２Ａ，２Ｂ，２Ｃ，２Ｄ  第１カバー本体
２ａ        シート部
２ａ１，２Ａａ１，２Ｂａ１，２Ｃａ１，２Ｄａ１  先端部
２ｂ        袋部
２ｂ１      開口部
３          第２カバー本体
３ａ        シート部
３ａ１      先端部
３ａ２      中間部
３ｂ        袋部
３ｂ１      開口部
４，４Ａ，４Ｂ，４Ｃ，４Ｄ  固定部
４Ｃａ，４Ｃｂ  スリット
５          引張片
６          挿通溝
７          係止部
１０        本（被被覆体）
１１        本体部
１２        表表紙
１３        裏表紙
１４        背表紙
【図１】
2018202745.tif 000003
【図２】
2018202745.tif 000004
【図３】
2018202745.tif 000005
【図４】
2018202745.tif 000006
【図５】
2018202745.tif 000007
【図６】
2018202745.tif 000008
【図７】
2018202745.tif 000009
【図８】
2018202745.tif 000010
【図９】
2018202745.tif 000011
【図１０】
2018202745.tif 000012
【図１１】
2018202745.tif 000013
【図１２】
2018202745.tif 000014
【図１３】
2018202745.tif 000015
【図１４】
2018202745.tif 000016
【図１５】
2018202745.tif 000017
【図１６】
2018202745.tif 000018
【図１７】
2018202745.tif 000019
【図１８】
2018202745.tif 000020
【図１９】
2018202745.tif 000021
【図２０】
2018202745.tif 000022